(57)【要約】【課題】光学式ファインダーのみのカメラにおいても、減光（ＮＤ）フィルタ挿入時の被写界深度確認を出来るだけ明るく見やすい状態で行えるようにすることを可能にしたカメラシステムを提供すること。【解決手段】減光（ＮＤ）フィルタを光路内に挿抜可能に構成された交換レンズにおいて、被写界深度確認の動作時に、上記、減光（ＮＤ）フィルタが光路内に挿入されていた場合には減光（ＮＤ）フィルタを光路外へ退避させる駆動を行うことを特徴とする構成とした。【選択図】  図１
2015034887.tif 000002
【特許請求の範囲】
【請求項１】
減光（ＮＤ）フィルタを光路内に挿抜可能に構成された交換レンズにおいて、被写界深度確認の動作時に、上記、減光（ＮＤ）フィルタが光路内に挿入されていた場合には減光（ＮＤ）フィルタを光路外へ退避させる駆動を行うことを特徴とする交換レンズ。
【請求項２】
被写界深度確認の動作が終了後に、光路外に退避していた減光（ＮＤ）フィルタを光路内に戻す動作を行うことを特徴とする請求項１に記載の交換レンズ。
【請求項３】
減光（ＮＤ）フィルタを光路内に挿抜可能に構成されたカメラシステムにおいて、被写界深度確認の動作時に、上記減光（ＮＤ）フィルタが光路内に挿入されていた場合には減光（ＮＤ）フィルタを光路外へ退避させる駆動を行うことを特徴とするカメラシステム。
【請求項４】
被写界深度確認の動作が終了後に、光路外に退避していた減光（ＮＤ）フィルタを光路内に戻す動作を行うことを特徴とする請求項３に記載のカメラシステム。
【発明の詳細な説明】
【技術分野】
【０００１】
本発明は、カメラボディと交換レンズとを着脱自在に構成されたカメラシステムに関し、特に交換レンズ内に減光（ＮＤ）フィルタを内蔵したカメラシステムに関するものである。
【背景技術】
【０００２】
従来より、静止画、動画の撮影において、減光（ＮＤ）フィルタを用いた撮影方法が知られている。減光（ＮＤ）フィルタはフィルムや、イメージセンサ等の撮像媒体に入る光の量を減少させるフィルタで、これを使うことで撮影の際の絞りを開いたり、シャッタースピードを遅くする効果が得られる。この効果により、晴天時のような明るい環境下でも開放状態で後ろをボカして撮影したり、川の流れを糸の集まりのように撮影する等が可能になる。また、デジタルカメラにおいては、絞りを絞ると回折の影響により画像が劣化するため、その劣化を防止する目的で減光（ＮＤ）フィルタを使用することがある。
【０００３】
カメラボディと交換レンズとが着脱自在に構成されたカメラシステムにおいて、上記減光（ＮＤ）フィルタは、レンズ先端にねじ込み式で装着する場合が多かった。また、減光（ＮＤ）フィルタを内蔵する交換レンズは主に動画撮影用のビデオカメラ用として設計されており、静止画撮影時の使い勝手については考えられていないものが多かった。
【０００４】
ここで、被写界深度確認と呼ばれる操作について説明する。撮影前の操作として、被写界深度確認という操作が行われることがある。通常、一眼レフカメラは撮影時以外には交換レンズの絞りを開放の状態としている。しかし、実際の撮影時にはユーザーの設定した絞り、或いはカメラ本体側で測光した結果から演算された絞りまで絞りこんで撮影が行われる。そこで、撮影前に実際に撮影時の絞りまで絞りを駆動し、撮影される写真のピントの合って見える範囲を確認する作業が被写界深度確認と呼ばれる操作である。ただし、被写界深度確認時には、絞りを開放から絞りこんだ状態に駆動するため、ファインダーが暗くなってしまい見辛くなるという問題点があった。
【０００５】
この問題点を解決するため、例えば、特許文献１では電子ビューファインダーに絞り込んだ後の画像を表示させることにより、深度確認時に画像が暗くなることを防ぐ方法が開示されている。
【先行技術文献】
【特許文献】
【０００６】
【特許文献１】特開平９−６９９７２号公報
【発明の概要】
【発明が解決しようとする課題】
【０００７】
しかしながら、上述の特許文献１に開示された従来技術では、電子ビューファインダーに、撮像した画像を表示させる構成なので、光学式ファインダーのみのカメラでは実現不可能である。また、背面の液晶に画像を表示させる場合、減光（ＮＤ）フィルタが必要な撮影は一般的に非常に明るい環境であることが多いので、液晶が見辛くなり正確な確認が出来ない。
【０００８】
そこで、本発明の目的は、光学式ファインダーのみのカメラにおいても、減光（ＮＤ）フィルタ挿入時の被写界深度確認を出来るだけ明るく見やすい状態で行えるようにすることを可能にしたカメラシステムを提供することである。
【課題を解決するための手段】
【０００９】
上記目的を達成するために、本発明は、減光（ＮＤ）フィルタを光路内に挿抜可能に構成されたカメラシステムにおいて、被写界深度確認の動作時に、上記減光（ＮＤ）フィルタが光路内に挿入されていた場合には減光（ＮＤ）フィルタを光路外へ退避させる駆動を行うことを特徴とする。
【００１０】
更に、被写界深度確認の動作が終了後に、光路外に退避していた減光（ＮＤ）フィルタを光路内に戻す動作を行うことを特徴とする。
【発明の効果】
【００１１】
本発明によれば、減光（ＮＤ）フィルタ挿入時の被写界深度確認を出来るだけ明るく見やすい状態で行えるようにすることを可能にしたカメラシステムを提供することができる。
【図面の簡単な説明】
【００１２】
【図１】本発明の第１の実施の形態に係るカメラシステムを示すブロック図である。
【図２】本発明の第１の実施の形態に係る交換レンズの動作の一部を示すフローチャートである。
【図３】本発明の第１と第２の実施の形態に係る交換レンズの動作の一部を示すフローチャートである。
【図４】本発明の第１と第２の実施の形態に係る交換レンズの動作の一部を示すフローチャートである。
【図５】本発明の第１と第２の実施の形態に係る交換レンズの動作の一部を示すフローチャートである。
【図６】本発明の第２の実施の形態に係るカメラシステムを示すブロック図である。
【図７】本発明の第２の実施の形態に係る交換レンズの動作の一部を示すフローチャートである。
【発明を実施するための形態】
【００１３】
以下に、本発明の好ましい実施の形態を、添付の図面に基づいて詳細に説明する。図１は、本発明の実施形態にかかわるカメラシステムを示したブロック図である。
【００１４】
［実施例１］
以下、図１を参照して、本発明の第1の実施例による、カメラシステムについて説明する。
【００１５】
１００は本実施例におけるカメラ本体で、２００は本実施例における交換レンズである。カメラ本体１００内には、電気回路部１０５がある。この電気回路部１０５内には交換レンズを通ってきた光の量を測定するための測光部１０１、撮像面上から、被写体までのデフォーカス量を測定するための測距部１０６がある。更に、撮像素子（ＣＭＯＳセンサ等）に適当な時間露光するためのシャッター１０２、撮像素子１０３、これらのカメラ内の制御を行うカメラ本体内ＣＰＵ１０８、レンズとのシリアル通信を行うための通信手段１０７、カメラの各種情報を表示する表示手段１０４が含まれる。更に、カメラ本体１００内には、被写界深度確認時の絞り込み動作を行うための絞り込みスイッチ１１０、本実施例のカメラシステムを動作させる電源１０９も含まれる。
【００１６】
続いて交換レンズ２００の説明を行う。交換レンズ２００内にはピント調整を行うフォーカシングレンズ、変倍を行うためのズーミングレンズ等を含んだレンズ群２０５、絞り２０６、減光（ＮＤ）フィルタ２０７がある。２０１はフォーカシングレンズの位置を検出するためのフォーカス位置検出用ブラシ、２０２はズーミングレンズの位置を検出するためのズーム位置検出用ブラシである。２０３は、絞りが開放の位置にあるか否かを検出する絞り開放検知スイッチ、２０４は、減光（ＮＤ）フィルタが挿入、退避のどちらの状態であるかを検知する挿抜検知スイッチである。
【００１７】
２１４は減光（ＮＤ）フィルタの挿抜を切り替えるＮＤスイッチ、２１５はオートフォーカスとマニュアルフォーカスを切り替えるＡ／Ｍスイッチである。２１３は交換レンズ２００内の電気回路部で、電気回路部２１３は、交換レンズ内の制御を行うレンズ内ＣＰＵ２１１、カメラとの間でシリアル通信を行うための通信手段２１２を備えている。更に、フォーカシングレンズの駆動を行うためのフォーカス駆動部２０８、絞りを駆動するための絞り駆動部２０９と減光（ＮＤ）フィルタの挿抜駆動を行うＮＤフィルタ駆動部２１０を備えている。
【００１８】
本実施例では、上記に説明したように交換レンズ２００内に減光（ＮＤ）フィルタを挿抜するためのスイッチを備えているカメラシステムについて述べる。続いて、図２のフローチャートを用いて、ＮＤスイッチ２１４が変化した場合のレンズ内ＣＰＵ２１１内の処理について説明する。
【００１９】
＜Ｓｔｅｐ１０１＞  レンズＣＰＵ２１１内で実行されるプログラムにおいて、定期的に或いは、ＮＤスイッチ２１４の出力変化による割り込み処理によって処理がスタートする。
【００２０】
＜Ｓｔｅｐ１０２＞  ＮＤスイッチの状態が、ＯＮまたはＯＦＦかを判断する。尚、本実施例においてはＯＮの時に減光（ＮＤ）フィルタを光路内に挿入、ＯＦＦの時は光路内から退避することとする。ＯＮの場合は、Ｓｔｅｐ１０５へ，ＯＦＦの場合はＳｔｅｐ１０３へ進む。
【００２１】
＜Ｓｔｅｐ１０３＞  挿抜検知スイッチ２０４の状態を確認する。尚、本実施例において、ＩＮは光路内に減光（ＮＤ）フィルタが挿入されている状態を示し、ＯＵＴは光路内から退避されている状態を示す。ＩＮの場合はＳｔｅｐ１０５へ進み、ＯＵＴの場合はＳｔｅｐ１０７へ進む。
【００２２】
＜Ｓｔｅｐ１０４＞  減光（ＮＤ）フィルタの退避動作を行う。退避動作の詳細については後で図３を用いて説明する。
【００２３】
＜Ｓｔｅｐ１０５＞  Ｓｔｅｐ１０３と同様に挿抜検知スイッチ２０４の状態を確認し、ＯＵＴの場合はＳｔｅp１０６へ、ＩＮの場合はＳｔｅp１０７へ進む。
【００２４】
＜Ｓｔｅｐ１０６＞  減光（ＮＤ）フィルタの挿入動作を行う。挿入動作の詳細については後で図４を用いて説明する。
【００２５】
＜Ｓｔｅｐ１０７＞  ＮＤスイッチ状態変化時の処理を終了する。
続いて、減光（ＮＤ）フィルタの挿入動作について図３のフローチャートを用いて説明する。
【００２６】
＜Ｓｔｅｐ２０１＞  前述のＳｔｅｐ１０６から本処理をスタートする。
【００２７】
＜Ｓｔｅｐ２０２＞  減光（ＮＤ）フィルタ駆動用のアクチュエータの駆動方向を挿入の方向へ設定する。
【００２８】
＜Ｓｔｅｐ２０３＞  減光（ＮＤ）フィルタ駆動用のアクチュエータに通電を開始する。
【００２９】
＜Ｓｔｅｐ２０４＞  通電開始からの時間を計測するためのタイマのカウントを開始する。
【００３０】
＜Ｓｔｅｐ２０５＞  挿抜検知スイッチ２０４の状態を確認する。ＩＮの状態になっていればＳｔｅｐ２０８へ、ＯＵＴの状態ならＳｔｅｐ２０６へ進む。
【００３１】
＜Ｓｔｅｐ２０６＞  Ｓｔｅｐ２０４でカウントを開始したタイマのカウント値が所定値より大きいか否かを判断する。この処理は、アクチュエータへの通電時間に制限をかけることを目的としている。この処理により、減光（ＮＤ）フィルタが何らかの原因により挿入状態にならない場合でも、アクチュエータへの通電を停止し、アクチュエータの損傷を防ぐとともに、無駄な電力消費を避けることが出来る。
【００３２】
カウント値が所定値よりも大きい場合はＳｔｅｐ２０７へ、それ以下の場合はＳｔｅｐ２０５へ戻る。
【００３３】
＜Ｓｔｅｐ２０７＞  所定時間経過しても減光（ＮＤ）フィルタが挿入されないので、エラー処理を行う。ここでのエラー処理は、例えば、今後のＮＤスイッチの操作を無視するようにしたり、カメラ側へ減光（ＮＤ）フィルタの故障を通信手段２１２を介して伝達し、表示手段１０４に表示して、使用者へアナウンスを行う等の処理が考えられるが、詳細については割愛する。
【００３４】
＜Ｓｔｅｐ２０８＞  減光（ＮＤ）フィルタ駆動用のアクチュエータへの通電を終了する。
【００３５】
＜Ｓｔｅｐ２０９＞  減光（ＮＤ）フィルタの挿入動作の処理を終了する。続いて、減光（ＮＤ）フィルタの退避動作について図４のフローチャートを用いて説明する。
【００３６】
＜Ｓｔｅｐ３０１＞  前述のＳｔｅｐ１０５から本処理をスタートする。
【００３７】
＜Ｓｔｅｐ３０２＞  減光（ＮＤ）フィルタ駆動用のアクチュエータの駆動方向を退避の方向へ設定する。
【００３８】
＜Ｓｔｅｐ３０３＞  減光（ＮＤ）フィルタ駆動用のアクチュエータに通電を開始する。
【００３９】
＜Ｓｔｅｐ３０４＞  通電開始からの時間を計測するためのタイマのカウントを開始する。
【００４０】
＜Ｓｔｅｐ３０５＞  挿抜検知スイッチ２０４の状態を確認する。ＯＵＴの状態になっていればＳｔｅｐ３０８へ、ＩＮの状態ならＳｔｅｐ３０６へ進む。
【００４１】
＜Ｓｔｅｐ３０６＞  Ｓｔｅｐ３０４でカウントを開始したタイマのカウント値が所定値より大きいか否かを判断する。この処理は、アクチュエータへの通電時間に制限をかけることを目的としている。この処理により、減光（ＮＤ）フィルタが何らかの原因により退避状態にならない場合でも、アクチュエータへの通電を停止し、アクチュエータの損傷を防ぐとともに、無駄な電力消費を避けることが出来る。カウント値が所定値よりも大きい場合はＳｔｅｐ３０７へ、それ以下の場合はＳｔｅｐ３０５へ戻る。
【００４２】
＜Ｓｔｅｐ３０７＞  所定時間経過しても減光（ＮＤ）フィルタが退避されないので、エラー処理を行う。ここでのエラー処理は、例えば、今後のＮＤスイッチの操作を無視するようにしたり、カメラ側へ減光（ＮＤ）フィルタの故障を通信手段２１２を介して伝達し、表示手段１０４に表示して、使用者へアナウンスを行う等の処理が考えられるが、詳細については割愛する。
【００４３】
＜Ｓｔｅｐ３０８＞  減光（ＮＤ）フィルタ駆動用のアクチュエータへの通電を終了する。
【００４４】
＜Ｓｔｅｐ３０９＞  減光（ＮＤ）フィルタの退避動作の処理を終了する。
【００４５】
引き続き、被写界深度確認時の減光（ＮＤ）フィルタの動作処理について、図５のフローチャートを用いて説明する。本実施例に記載のカメラ本体１００は、カメラ側からは減光（ＮＤ）フィルタの制御が出来ないカメラ、つまり、減光（ＮＤ）フィルタに非対応のカメラとする。
【００４６】
＜Ｓｔｅｐ４０１＞  カメラ本体１００の絞り込みスイッチ１１０が使用者に操作され、本処理がスタートする。
【００４７】
＜Ｓｔｅｐ４０２＞  カメラ本体１００側から通信手段１０７を介して各種コマンドが送られてくる。送られてきたコマンドが絞り駆動命令か否かを判断し、絞り駆動命令の場合はＳｔｅｐ４０３へ、それ以外の場合はＳｔｅｐ４０４へ進む。
【００４８】
＜Ｓｔｅｐ４０３＞  受信したコマンドが絞り駆動命令なので、駆動方向を判別する。絞り込みの方向ならＳｔｅｐ４０５へ、開放方向ならＳｔｅｐ４０６へ進む。
【００４９】
＜Ｓｔｅｐ４０４＞  受信したコマンドが絞り駆動命令以外の場合なので、その他のコマンドの処理を実行する。本発明とは関係のない処理なのでここでの詳細な説明は割愛する。
【００５０】
＜Ｓｔｅｐ４０５＞  今回、送られてきた絞り駆動命令が被写界深度確認の為の動作なのか、レリーズ時の動作なのかを判断し、被写界深度確認動作ならＳｔｅｐ４０７へ、レリーズ時の動作ならＳｔｅｐ４１６へ進む。ここで、被写界深度確認の為の動作なのか、レリーズ時の動作なのかを判断する方法の例を挙げる。例えば、カメラ本体１００から送信されてくる通信データから、不図示のレリーズボタンが押されているかを判断する。その結果、レリーズボタンが押されている場合はレリーズ時の動作、そうでない場合は被写界深度確認の動作と判断すればよい。
【００５１】
＜Ｓｔｅｐ４０６＞  絞りの開放検知スイッチ２０３の状態を確認し、開放状態と判断された場合はＳｔｅｐ４０７へ、絞り込み状態と判断された場合はＳｔｅp４１０へ進む。このＳｔｅｐ４０６の判断は、既に絞りが絞り込まれた状態である場合には、減光（ＮＤ）フィルタの退避動作が行われているので、再度、退避動作を行わないための処理である。
【００５２】
＜Ｓｔｅｐ４０７＞  現在の減光（ＮＤ）フィルタの挿抜検知スイッチの状態を記憶する。これは、被写界深度確認の動作が終了した際に、減光（ＮＤ）フィルタが挿入、退避のどちらの状態だったのかを判断するためである。
【００５３】
＜Ｓｔｅｐ４０８＞  減光（ＮＤ）フィルタの挿抜検知スイッチの状態を確認する。挿入の状態と判断された場合はＳｔｅp４０９へ、退避の状態と判断された場合にはＳｔｅｐ４１０へ進む。このＳｔｅｐ４０８の判断は、既に減光（ＮＤ）フィルタが退避状態である場合に、再度、退避動作を繰り返さないための処理である。
【００５４】
＜Ｓｔｅｐ４０９＞  減光（ＮＤ）フィルタの退避動作を行う。退避動作については、図４を用いて既に説明済みなので、ここでの説明は割愛する。
【００５５】
＜Ｓｔｅｐ４１０＞  Ｓｔｅｐ４０２で送信されてきた絞り駆動命令に従って、絞りを絞り込み方向へ駆動する。
【００５６】
以上、Ｓｔｅｐ４０５からＳｔｅｐ４１０まで、絞りを絞り込み方向へ駆動する場合の動作の説明を行った。
【００５７】
続いて、絞りを開放方向へ駆動する場合の動作を説明する。
【００５８】
＜Ｓｔｅｐ４１１＞  絞りの開放検知スイッチ２０３の状態を確認し、既に開放状態なら何もせずにＳｔｅｐ４１７へ進み、絞り込まれた状態ならＳｔｅｐ４１２へ進む。
【００５９】
＜Ｓｔｅｐ４１２＞  Ｓｔｅｐ４０２で送信されてきた絞り駆動命令に従って、絞りを開放方向へ駆動する。
【００６０】
＜Ｓｔｅｐ４１３＞  再度、絞りの開放検知スイッチ２０３の状態を確認する。開放状態の場合はＳｔｅｐ４１４に進み、絞り込み状態の場合はＳｔｅｐ４１７へ進む。
【００６１】
＜Ｓｔｅｐ４１４＞  Ｓｔｅｐ４０７で記憶した挿抜検知スイッチ２０４の記憶状態を確認する。記憶されている値が挿入状態の場合はＳｔｅｐ４１５へ、退避状態の場合はＳｔｅｐ４１７へ進む。
【００６２】
＜Ｓｔｅｐ４１５＞  減光（ＮＤ）フィルタの挿抜検知スイッチ２０４の状態を確認し、既に挿入状態の場合は何もせずにＳｔｅｐ４１７へ進み、退避状態の場合にはＳｔｅｐ４１６へ進む。
【００６３】
＜Ｓｔｅｐ４１６＞  減光（ＮＤ）フィルタの挿入動作を行う。挿入動作については、図３を用いて既に説明済みなので、ここでの説明は割愛する。
【００６４】
以上、Ｓｔｅｐ４１１からＳｔｅｐ４１６で絞りの開放方向への駆動時の動作について説明を行った。
【００６５】
＜Ｓｔｅｐ４０４＞  絞り駆動命令以外のコマンドがカメラ本体１００から送信されてきた場合の処理で、各コマンドに応じた処理を行う。本発明とは関係のない動作となるので説明は割愛する。
【００６６】
＜Ｓｔｅｐ４１７＞  本動作を終了する。
【００６７】
以上、説明してきたように、本実施例では減光（ＮＤ）フィルタが挿入状態で被写界深度確認動作が行われた場合、減光（ＮＤ）フィルタを一旦退避して絞りを絞り込み、被写界深度確認時にファインダーが暗くなることを防止する。更に、被写界深度確認動作が終了した場合は、絞りを開放へ駆動したのち、減光（ＮＤ）フィルタを元の挿入状態へ戻すので使用者は違和感なく操作することが可能となる。
【００６８】
また、本実施例１はレンズ側に減光（ＮＤ）フィルタの挿抜スイッチを設けているが、被写界深度確認時以外は減光（ＮＤ）フィルタは使用者が指示した位置にある。従ってねじ込み式の減光（ＮＤ）フィルタと同様に、カメラ本体側の開放測光も正しく行うことができ、ＡＥの演算にも影響を与えることがない。更に、カメラ本体側は内蔵の減光（ＮＤ）フィルタに関して特別な対応が必要ないため、交換レンズ単体で減光（ＮＤ）フィルタ内蔵のカメラシステムを構築することができる。
【００６９】
［実施例２］
以下、図６を参照して、本発明の第２の実施例による、カメラシステムについて説明する。
【００７０】
３００は本実施例におけるカメラ本体で、４００は本実施例における交換レンズである。カメラ本体３００内には、電気回路部３０５がある。この電気回路部３０５内には交換レンズを通ってきた光の量を測定するための測光部３０１、撮像面上から、被写体までのデフォーカス量を測定するための測距部３０６がある。更に、撮像素子（ＣＭＯＳセンサ等）に適当な時間露光するためのシャッター３０２、撮像素子３０３、これらのカメラ内の制御を行うカメラ本体内ＣＰＵ３０８、レンズとのシリアル通信を行うための通信手段３０７、カメラの各種情報を表示する表示手段３０４が含まれる。
【００７１】
カメラ本体３００内には本実施例のカメラシステムを動作させる電源３０９も含まれる。更に、被写界深度確認時の絞り込み動作を行うための絞り込みスイッチ３１０と、レンズ４００内の減光（ＮＤ）フィルタの挿抜を行うためのＮＤ挿抜スイッチ３１１を備えている。
【００７２】
続いて交換レンズ４００の説明を行う。交換レンズ４００内にはピント調整を行うフォーカシングレンズ、変倍を行うためのズーミングレンズ等を含んだレンズ群４０５、絞り４０６、減光（ＮＤ）フィルタ４０７がある。４０１はフォーカシングレンズの位置を検出するためのフォーカス位置検出用ブラシ、４０２はズーミングレンズの位置を検出するためのズーム位置検出用ブラシである。４０３は、絞りが開放の位置にあるか否かを検出する絞り開放検知スイッチ、４０４は、減光（ＮＤ）フィルタが挿入、退避のどちらの状態であるかを検知する挿抜検知スイッチである。
【００７３】
４１４はオートフォーカスとマニュアルフォーカスを切り替えるＡ／Ｍスイッチである。４１３は交換レンズ４００内の電気回路部で、電気回路部４１３は、交換レンズ内の制御を行うレンズ内ＣＰＵ４１１、カメラとの間でシリアル通信を行うための通信手段４１２を備えている。更に、フォーカシングレンズの駆動を行うためのフォーカス駆動部４０８、絞りを駆動するための絞り駆動部４０９と減光（ＮＤ）フィルタの挿抜駆動を行うＮＤフィルタ駆動部４１０を備えている。
【００７４】
本実施例では、上記に説明したようにカメラ本体３００内に減光（ＮＤ）フィルタを挿抜するためのスイッチを備えているカメラシステムについて述べる。続いて図７を用いて、本実施例の動作について説明する。
【００７５】
＜Ｓｔｅｐ５０１＞  本実施例にかかわる処理をスタートする。
【００７６】
＜Ｓｔｅｐ５０２＞  カメラ本体３００内の絞り込みスイッチ３１０がＯＮの状態か否かを確認する。絞り込みスイッチがＯＮの場合にはＳｔｅｐ５０３へ、ＯＦＦの場合にはＳｔｅｐ５１４へ進む。
【００７７】
＜Ｓｔｅｐ５０３＞  ＮＤ挿抜スイッチ３１１の状態を確認する。挿入の状態の場合にはＳｔｅｐ５０８へ、退避の状態の場合にはＳｔｅｐ５０４へ進む。本実施例では、ＮＤ挿抜スイッチ３１１を単体の操作部材として記載しているが、表示手段３０４へメニュー表示させて、挿抜を選択させるようにしても良い。その場合、選択された状態を不図示の記憶部へ記憶させて、本Ｓｔｅｐではその記憶部のデータを参照すればよい。
＜Ｓｔｅｐ５０４＞  絞りの駆動方向を判断する。駆動方向が開放方向ならＳｔｅｐ５０６へ、絞り込み方向ならＳｔｅｐ５０５へ進む。
【００７８】
＜Ｓｔｅｐ５０５＞  絞り込み方向への駆動量を算出する。
【００７９】
＜Ｓｔｅｐ５０６＞  交換レンズ４００内の絞り開放検知スイッチの状態を確認する。開放の状態の場合には何もせずにＳｔｅｐ５１８へ進み、絞り込み状態の場合はＳｔｅｐ５０７へ進む。カメラ本体３００は交換レンズ４００との通信によってこの情報を取得する。
【００８０】
＜Ｓｔｅｐ５０７＞  開放方向への駆動量を算出する。
【００８１】
＜Ｓｔｅｐ５０８＞  Ｓｔｅｐ５０４と同様に絞りの駆動方向を判断する。駆動方向が開放方向ならＳｔｅｐ５０６へ、絞り込み方向ならＳｔｅｐ５０９へ進む。
【００８２】
＜Ｓｔｅｐ５０９＞  Ｓｔｅｐ５０６と同様に、交換レンズ４００内の絞り開放検知スイッチの状態を確認する。開放の状態の場合にはＳｔｅｐ５１０へ進み、絞り込み状態の場合はＳｔｅｐ５１２へ進む。カメラ本体３００は交換レンズ４００との通信によってこの情報を取得する。
【００８３】
＜Ｓｔｅｐ５１０＞  減光（ＮＤ）フィルタの退避動作を行うコマンドを交換レンズ４００に送信する。このコマンドを受信した交換レンズ４００は、減光（ＮＤ）フィルタの退避動作を行う。減光（ＮＤ）フィルタの退避動作については、図３を用いて既に説明したのでここでは割愛する。
【００８４】
＜Ｓｔｅｐ５１１＞  絞り込み方向への駆動量を算出する。
【００８５】
＜Ｓｔｅｐ５１２＞  Ｓｔｅｐ５０５、５０７、５１１で算出された駆動量及び駆動方向で絞りを駆動する駆動命令を交換レンズ４００へ送信する。このコマンドを受信した交換レンズ４００は、指定された駆動方向、駆動量の絞り駆動を行う。
【００８６】
＜Ｓｔｅｐ５１３＞  交換レンズ４００内の絞り開放検知スイッチの状態を確認する。開放の状態の場合にはＳｔｅｐ５１０へ進み、絞り込み状態の場合はＳｔｅｐ５１２へ進む。カメラ本体３００は交換レンズ４００との通信によってこの情報を取得する。
【００８７】
＜Ｓｔｅｐ５１４＞  絞りを開放まで駆動する絞り開放駆動コマンドを交換レンズ４００へ送信する。交換レンズ４００側は、このコマンドを受信すると絞りを開放まで駆動する。
【００８８】
＜Ｓｔｅｐ５１５＞  ＮＤ挿抜スイッチ３１１の状態を確認する。挿入の状態の場合にはＳｔｅｐ５１６へ、退避の状態の場合にはＳｔｅｐ５１７へ進む。本実施例では、ＮＤ挿抜スイッチ３１１を単体の操作部材として記載しているが、表示手段３０４へメニュー表示させて、挿抜を選択させるようにしても良い。その場合、選択された状態を不図示の記憶部へ記憶させて、本Ｓｔｅｐではその記憶部のデータを参照すればよい。
【００８９】
＜Ｓｔｅｐ５１６＞  減光（ＮＤ）フィルタの挿入動作を行うコマンドを交換レンズ４００に送信する。このコマンドを受信した交換レンズ４００は、減光（ＮＤ）フィルタの挿入動作を行う。減光（ＮＤ）フィルタの退避動作については、図２を用いて既に説明したのでここでは割愛する。
【００９０】
＜Ｓｔｅｐ５１７＞  本実施例に関わる動作を終了する。
【００９１】
以上、実施例２ではカメラ本体３００内に減光（ＮＤ）フィルタを挿抜するためのスイッチを備えているカメラシステムについて説明してきた。実施例１と同様に減光（ＮＤ）フィルタが挿入状態で被写界深度確認動作が行われた場合、減光（ＮＤ）フィルタを一旦退避して絞りを絞り込み、被写界深度確認時にファインダーが暗くなることを防止する。更に、被写界深度確認動作が終了した場合は、絞りを開放へ駆動したのち、減光（ＮＤ）フィルタを元の挿入状態へ戻すので使用者は違和感なく操作することが可能となる。
【００９２】
以上、本発明の好ましい実施形態について説明したが、本発明はこれらの実施形態に限定されず、その要旨の範囲内で種々の変形及び変更が可能である。
【符号の説明】
【００９３】
１００、３００  ・・・・  カメラ本体
１０１、３０１  ・・・・  測光部
１０２、３０２  ・・・・  シャッター
１０３、３０３  ・・・・  撮像素子
１０４、３０４  ・・・・  表示手段
１０５、３０５  ・・・・  電気回路部
１０６、３０６  ・・・・  測距部
１０７、３０７  ・・・・  通信手段
１０８、３０８  ・・・・  カメラ本体内ＣＰＵ
１０９、３０９  ・・・・  電源
１１０、３１０  ・・・・  絞り込みスイッチ
２００、４００  ・・・・  交換レンズ
２０１、４０１  ・・・・  フォーカス位置検出用ブラシ
２０２、４０２  ・・・・  ズーム位置検出用ブラシ
２０３、４０３  ・・・・  絞り開放検知スイッチ
２０４、４０４  ・・・・  挿抜検知スイッチ
２０５、４０５  ・・・・  レンズ群
２０６、４０６  ・・・・  絞り
２０７、４０７  ・・・・  減光（ＮＤ）フィルタ
２０８、４０８  ・・・・  フォーカス駆動部
２０９、４０９  ・・・・  絞り駆動部
２１０、４１０  ・・・・  ＮＤフィルタ駆動部
２１１、４１１  ・・・・  レンズ内ＣＰＵ
２１２、４１２  ・・・・  通信手段
２１３、４１３  ・・・・  交換レンズ内電気回路部
２１４、３１１  ・・・・  ＮＤスイッチ
２１５、４１４  ・・・・  Ａ／Ｍスイッチ
【図１】
2015034887.tif 000003
【図２】
2015034887.tif 000004
【図３】
2015034887.tif 000005
【図４】
2015034887.tif 000006
【図５】
2015034887.tif 000007
【図６】
2015034887.tif 000008
【図７】
2015034887.tif 000009